(57)【要約】【課題】プライバシーの保護を図ることができながら、効率的に採光でき、かつ、室内の一部における過度な日射を抑制することができるロールスクリーンを提供すること。【解決手段】ロールスクリーン１に、所定方向Ｘに延びる軸部２と、軸部２に支持され、軸部２に巻回される収納状態と、収納状態から繰出方向Ｒ１に繰り出される繰出状態とに移動するスクリーン４とを備える。そして、スクリーン４に、光を遮断する遮光シート５と、光が透過するときに、透過する光の少なくとも一部の進行方向を変更する光学シート６とを備える。【選択図】図７
2015140638.tif 000002
【特許請求の範囲】
【請求項１】
第１方向に延びる軸部と、
前記軸部に支持され、前記軸部に巻回される収納状態と、前記収納状態から前記第１方向と直交する第２方向に繰り出される繰出状態とに移動するように構成されるスクリーンとを備え、
前記スクリーンは、
光を遮断する遮光部と、
光が透過するように構成され、光が透過するときに、透過する光の少なくとも一部の進行方向を変更する採光部とを備えていることを特徴とする、ロールスクリーン。
【請求項２】
前記採光部は、
前記軸部が前記第２方向の上流および下流への移動が規制された状態で回転することにより、前記スクリーンを繰り出す場合、光の進行方向を前記第２方向の上流に向かうように変更し、
前記軸部が前記第２方向の上流に移動しながら回転することにより、前記スクリーンを繰り出す場合、光の進行方向を、前記第２方向の下流に向かうように変更することを特徴とする、請求項１に記載のロールスクリーン。
【請求項３】
前記採光部は、
前記軸部が、前記第２方向の上流および下流への移動が規制された状態で回転することにより、前記スクリーンを繰り出す場合、前記スクリーンの前記繰出状態において、前記スクリーンの前記第２方向中央よりも前記第２方向の上流に配置され、
前記軸部が、前記第２方向の上流に移動しながら回転することにより、前記スクリーンを繰り出す場合、前記スクリーンの前記繰出状態において、前記スクリーンの前記第２方向中央よりも前記第２方向の下流に配置されていることを特徴とする、請求項２に記載のロールスクリーン。
【請求項４】
前記採光部は、光を反射するように構成される反射層を備え、
前記反射層は、前記第１方向に沿って延びていることを特徴とする、請求項１〜３のいずれか一項に記載のロールスクリーン。
【発明の詳細な説明】
【技術分野】
【０００１】
本発明は、建築物の窓などに設置されるロールスクリーンに関する。
【背景技術】
【０００２】
従来より、プライバシー保護などの観点から、家屋などの窓に設置されるロールスクリーンが知られている。このようなロールスクリーンは、軸部と、軸部から垂下されるスクリーンとを備えており、スクリーンが窓を覆うことによって、家屋の外部から、窓を介して、室内が目視されることを遮断する。
【０００３】
しかし、スクリーンは一般に遮光性を有しているので、スクリーンが窓を覆うと、太陽光を室内に導入すること、いわゆる、採光（太陽光照明、昼光照明とも呼ばれる。）が阻害されてしまう。
【０００４】
しかるに、近年、環境負荷低減の観点から、より効率的に太陽光を室内に導入し、日中における人工照明の利用を低減することが望まれている。そこで、プライバシー保護を図るとともに、室内への採光が可能なロールスクリーンが検討されている。
【０００５】
例えば、スクリーンが、光を透過する透過部を有するロールブラインドが提案されている（例えば、特許文献１参照）。そのようなロールブラインドでは、スクリーンが窓を覆った状態においても、太陽光が、透過部を透過して、室内に採光される。つまり、プライバシー保護と採光との両立が図られている。
【先行技術文献】
【特許文献】
【０００６】
【特許文献１】特開２００２−１６８０６９号公報
【発明の概要】
【０００７】
しかし、特許文献１のロールブラインドでは、透過部を介して室内に採光される太陽光のすべてが直線的に進行するので、室内の一部が太陽光により照らされる一方、室内における他の部分の明るさを十分に確保できない場合がある。また、太陽光に照らされる室内の一部においては、日射により暑く、眩しいといった不具合がある。
【０００８】
そこで、本発明の目的は、プライバシーの保護を図ることができながら、効率的に採光でき、かつ、室内の一部における過度な日射を抑制することができるロールスクリーンを提供することにある。
【課題を解決するための手段】
【０００９】
上記した目的を達成するために、本発明のロールスクリーンは、第１方向に延びる軸部と、前記軸部に支持され、前記軸部に巻回される収納状態と、前記収納状態から前記第１方向と直交する第２方向に繰り出される繰出状態とに移動するように構成されるスクリーンとを備え、前記スクリーンは、光を遮断する遮光部と、光が透過するように構成され、光が透過するときに、透過する光の少なくとも一部の進行方向を変更する採光部とを備えていることを特徴としている。
【００１０】
このような構成によれば、遮光部が光を遮断し、かつ、採光部が光を透過するので、上記のロールスクリーンを、例えば、家屋などの窓に設置し、スクリーンを繰出状態に配置すれば、遮光部が、家屋の外部から、窓を介して、家屋内が目視されることを遮断するとともに、採光部が、家屋内への採光を許容する。そのため、プライバシーの保護を図ることができながら、採光することができる。
【００１１】
また、採光部は、透過する光の少なくとも一部の進行方向を変更するので、採光部を介して室内に採光される光のすべてが直線的に進行することを抑制できる。そのため、家屋内の明るさを効率よく向上することができながら、家屋内の一部における過度な日射を抑制することができる。
【００１２】
また、前記採光部は、前記軸部が前記第２方向の上流および下流への移動が規制された状態で回転することにより、前記スクリーンを繰り出す場合、光の進行方向を前記第２方向の上流に向かうように変更し、前記軸部が前記第２方向の上流に移動しながら回転することにより、前記スクリーンを繰り出す場合、光の進行方向を、前記第２方向の下流に向かうように変更することが好適である。
【００１３】
このような構成によれば、軸部が第２方向の上流および下流への移動が規制された状態で回転することにより、スクリーンを繰り出す場合、採光部は、透過する光の進行方向を、第２方向の上流に向かうように変更する。そのため、家屋内において、採光部よりも第２方向の上流側の明るさを確実に向上できる。
【００１４】
また、軸部が第２方向の上流に移動しながら回転することにより、スクリーンを繰り出す場合、採光部は、透過する光の進行方向を、第２方向の下流に向かうように変更する。そのため、家屋内において、採光部よりも第２方向の下流側の明るさを確実に向上できる。
【００１５】
つまり、スクリーンの繰り出し方法が上記いずれの場合であっても、採光部を介して室内に採光される光のすべてが直線的に進行することを確実に抑制でき、家屋内の明るさをより一層効率よく向上することができる。また、家屋内の一部における過度な日射を確実に抑制することができる。
【００１６】
また、前記採光部は、前記軸部が、前記第２方向の上流および下流への移動が規制された状態で回転することにより、前記スクリーンを繰り出す場合、前記スクリーンの前記繰出状態において、前記スクリーンの前記第２方向中央よりも前記第２方向の上流に配置され、前記軸部が、前記第２方向の上流に移動しながら回転することにより、前記スクリーンを繰り出す場合、前記スクリーンの前記繰出状態において、前記スクリーンの前記第２方向中央よりも前記第２方向の下流に配置されていることが好適である。
【００１７】
このような構成によれば、軸部が、第２方向の上流および下流への移動が規制された状態で回転することにより、スクリーンを繰り出す場合、採光部は、スクリーンの繰出状態において、スクリーンの第２方向中央よりも第２方向の上流に配置されるので、遮光部を、スクリーンの第２方向中央よりも第２方向の下流に確実に配置できる。
【００１８】
また、軸部が、第２方向の上流に移動しながら回転することにより、スクリーンを繰り出す場合、採光部は、スクリーンの繰出状態において、スクリーンの第２方向中央よりも第２方向の下流に配置されるので、遮光部を、スクリーンの第２方向中央よりも第２方向の上流に確実に配置できる。
【００１９】
そのため、スクリーンの繰り出し方法が上記いずれの場合であっても、採光部および遮光部を効率的に配置でき、スクリーンの第２方向の一方部分（上流または下流部分）において採光性を確保し、スクリーンの第２方向の他方部分（上流または下流部分）においてプライバシーの保護を図ることができる。
【００２０】
また、前記採光部は、光を反射するように構成される反射層を備え、前記反射層は、前記第１方向に沿って延びていることが好適である。
【００２１】
このような構成によれば、反射層が第１方向に沿って延びているので、反射層は、採光部に入射した光を、第１方向において均一に反射することができる。そのため、採光部は、光が透過するときに、光の進行方向を確実に変更することができる。
【発明の効果】
【００２２】
本発明のロールスクリーンによれば、プライバシーの保護を図ることができながら、効率的に採光でき、かつ、過度な日射を抑制することができる。
【図面の簡単な説明】
【００２３】
【図１】図１は、本発明のロールスクリーンの第１実施形態の斜視図である。
【図２】図２Ａは、図１に示すロールスクリーンの中央断面図であって、スクリーンが繰出位置にある状態を示す。図２Ｂは、図２Ａに示す遮光シートと光学シートとの接続部分の拡大図である。図２Ｃは、図１に示すロールスクリーンの中央断面図であって、スクリーンが収納位置にある状態を示す。
【図３】図３は、図２Ｂに示す光学シートに係る単位フィルムの斜視図である。
【図４】図４は、図３に示す単位フィルムが積層されて形成される積層体の側面に支持体が貼り付けられた後、積層体の側面層が切断される工程を説明するための説明図である。
【図５】図５は、図４に示す積層体の側面に、支持体ロールから引き出された支持体が貼り付けられた後、積層体の側面層が連続的に切断される工程を説明するための説明図である。
【図６】図６は、図５に示す採光層および支持体の斜視図である。
【図７】図７は、図１に示すロールスクリーンがガラス窓に設置された状態を説明するための概略説明図である。
【図８】図８は、本発明のロールスクリーンの第２実施形態および第３実施形態がガラス窓に設置された状態を説明するための概略説明図である。
【図９】図９Ａは、図８に示すロールスクリーンに係る単位フィルムの斜視図である。図９Ｂは、図９Ａに示す単位フィルムが積層されて形成される積層体から切り出される採光層および支持体の斜視図である。
【図１０】図１０Ａは、本発明のロールスクリーンの第４実施形態の中央断面図であって、スクリーンが繰出位置にある状態を示す。図１０Ｂは、図１０Ａに示す遮光シートと光学シートとの隣接部分の拡大図である。
【図１１】図１１Ａは、本発明のロールスクリーンの第５実施形態の斜視図であって、スクリーンが繰出位置にある状態を示す。図１１Ｂは、図１１Ａに示すロールスクリーンの中央断面図であって、スクリーンが繰出位置にある状態を示す。図１１Ｃは、図１１Ａに示すロールスクリーンの中央断面図であって、スクリーンが収納位置にある状態を示す。
【図１２】図１２は、実施例および比較例における、照度の測定方法を説明するための説明図である。
【発明を実施するための形態】
【００２４】
１．ロールスクリーンの構成
ロールスクリーン１は、図１に示すように、軸部２と、１対の支持フレーム３と、スクリーン４とを備えている。
【００２５】
軸部２は、略円柱形状に形成されており、第１方向の一例としての所定方向Ｘに延びている。
【００２６】
１対の支持フレーム３は、軸部２を挟むように、所定方向Ｘに間隔を隔てて配置されている。１対の支持フレーム３のそれぞれは、所定方向Ｘから見て、矩形の板状に形成されており、軸部２の両端部を回転可能に支持している。
【００２７】
スクリーン４は、可撓性を有するシート状（フィルム状）に形成されており、軸部２に支持されている。また、スクリーン４は、軸部２が回転することにより、図２Ｃに示すように、軸部２に巻回される収納状態と、図２Ａに示すように、収納状態から第２方向の一例としての繰出方向Ｒ１に繰り出される繰出状態とに移動するように構成されている。なお、繰出方向Ｒ１は、軸部２の接線方向に沿う方向であり、所定方向Ｘと繰出方向Ｒ１とは直交している。
【００２８】
また、スクリーン４を収納状態から繰出状態に移動させるには、図２Ｃに示すように、収納状態にあるスクリーン４の遊端部を繰出方向Ｒ１に向かって引き出す。すると、軸部２が繰出方向Ｒ１の上流および下流への移動が規制された状態で回転し、スクリーン４が引き出される。これによって、スクリーン４が展開されて繰出状態となる。
【００２９】
なお、以下において、図１、図２Ａ、図２Ｂおよび図７に示すスクリーン４の繰出状態を基準として説明する。そして、軸部２が配置されている方をロールスクリーン１の上側とし、その反対をロールスクリーン１の下方とする。つまり、上下方向は、所定方向Ｘおよびスクリーン４の厚み方向（以下、厚み方向Ｙとする。）の両方向と直交する方向である。また、繰出方向Ｒ１は、上方から下方に向かう方向であり、繰出方向Ｒ１の上流は、上方であり、繰出方向Ｒ１の下流は、下方である。
【００３０】
スクリーン４は、図１に示すように、厚み方向Ｙから見て矩形状に形成されている。そして、スクリーン４は、その上端部が、所定方向Ｘに沿って、軸部２に固定されることによって、軸部２から垂れ下がっている。スクリーン４の所定方向Ｘの寸法は、例えば、３０ｃｍ以上、好ましくは、５０ｃｍ以上、例えば、２００ｃｍ以下、好ましくは、１００ｃｍ以下である。スクリーン４の上下方向の寸法は、例えば、５０ｃｍ以上、好ましくは、１００ｃｍ以上、例えば、３００ｃｍ以下、好ましくは、２００ｃｍ以下である。スクリーン４の厚みは、例えば、５０μｍ以上、好ましくは、１００μｍ以上、例えば、３００μｍ以下、好ましくは、２００μｍ以下である。
【００３１】
また、スクリーン４は、遮光部の一例としての遮光シート５と、採光部の一例としての光学シート６とを備えている。
【００３２】
遮光シート５は、スクリーン４の下側部分であって、光を遮断するように構成されている。遮光シート５としては、一般にロールスクリーンに用いられる公知の遮光シートが挙げられ、例えば、繊維質シート（例えば、紙、織布、不織布など）、ポリマーシート（例えば、ポリオレフィン系樹脂シート、ポリエステル系樹脂シートなど）などが挙げられる。これら遮光シート５のなかでは、好ましくは、ポリマーシート、さらに好ましくは、ポリエステル系樹脂シートが挙げられる。
【００３３】
このような遮光シート５は、単独で使用してもよく、２種以上併用することもできる。つまり、遮光シート５は、２種以上の遮光シートを繋ぎ合わせて、または、積層して形成することもできるが、製造コストの観点から好ましくは、１種の遮光シートからなる。
【００３４】
また、遮光シート５の上下方向の寸法は、使用目的などに応じて適宜変更できるが、スクリーン４の上下方向の寸法１００％に対して、例えば、３０％以上、プライバシー保護の観点から好ましくは、４０％以上、例えば、７０％以下、採光性の観点から好ましくは、６０％以下である。
【００３５】
光学シート６は、スクリーン４の上側部分であって、スクリーン４の上下方向略中央よりも上側に配置されている。また、光学シート６は、光を透過するように構成されている。光学シート６の上下方向の寸法は、使用目的などに応じて適宜変更できるが、スクリーン４の上下方向の寸法１００％に対して、例えば、３０％以上、採光性の観点から好ましくは、４０％以上、例えば、７０％以下、プライバシー保護の観点から好ましくは、６０％以下である。
【００３６】
また、光学シート６は、図２Ｂに示すように、採光層７と、１対の支持体８とを備えている。もしくは、支持体８は、採光層７の片側（一方面）だけにあってもよい。
【００３７】
採光層７は、光学シート６の厚み方向Ｙの略中央部分であって、複数の透明層９と、反射層の一例としての複数の空気層１０とを備えている。なお、第１実施形態では、採光層７は、透明層９および空気層１０のみからなり、透明層９と空気層１０とは、上下方向において、連続するように順次繰り返して配置されている。また、透明層９および空気層１０は、第１実施形態では、水平方向（所定方向Ｘおよび厚み方向Ｙ）に延びているが、透明層９および空気層１０は、水平方向に対して、±１０°程度傾いていてもよい。
【００３８】
複数の透明層９は、上下方向に互いに僅かな間隔（空気層１０）を隔てて並列配置されている。複数の透明層９のそれぞれは、略杆状に形成され、採光層７の所定方向Ｘの全体にわたって延びている。また、透明層９の上面および下面は、厚み方向Ｙに沿っている。
【００３９】
透明層９は、光を透過するように構成されており、加工の容易性の観点から好ましくは、透明の樹脂材料から形成される。
【００４０】
透明の樹脂材料としては、例えば、公知の樹脂材料などが挙げられ、樹脂材料としては、例えば、ポリエステル（例えば、ポリエチレンテレフタレート（ＰＥＴ））、ポリオレフィン（例えば、ポリエチレン（ＰＥ）、ポリプロピレン（ＰＰ））、ポリカーボネート（ＰＣ）、ポリ塩化ビニル、アクリル樹脂、ポリスチレン（ＰＳ）、エポキシ樹脂、シリコーン樹脂、フッ素樹脂、ウレタン樹脂、セルロース、ポリビニルブチラール（ＰＶＢ）、エチレン−酢酸ビニル共重合体（ＥＶＡ）などが挙げられる。
【００４１】
このような透明の樹脂材料のなかでは、好ましくは、ポリオレフィンおよびポリ塩化ビニルが挙げられ、さらに好ましくは、ポリプロピレンが挙げられる。このような樹脂材料は、単独で使用してもよく、２種以上併用することもできる。
【００４２】
このような透明層９の上下方向の寸法は、例えば、２０μｍ以上、好ましくは、３０μｍ以上、例えば、５００μｍ以下、好ましくは、２００μｍ以下であり、透明層９の厚み方向Ｙの寸法は、例えば、２０μｍ以上、好ましくは、５０μｍ以上、例えば、５００μｍ以下、好ましくは、４００μｍ以下である。また、透明層９の上下方向の寸法は、透明層９の厚み方向Ｙの寸法１００％に対して、例えば、４０％以上、採光性の観点から好ましくは、５０％以上、例えば、２００％以下、採光性の観点から好ましくは、１００％以下である。
【００４３】
また、透明層９の光透過率は、透明層９の厚みが１００μｍの場合に、波長４４０〜６００ｎｍの光に対して、例えば、８０％以上、好ましくは、９０％以上、さらに好ましくは、９２％以上であり、例えば、９８％以下である。
【００４４】
また、透明層９の相対屈折率は、空気の屈折率に対して、例えば、１．３以上、好ましくは、１．４以上、例えば、１．８以下、好ましくは、１．６５以下である。なお、屈折率は、プリズムカプラにより測定することができる。
【００４５】
複数の空気層１０のそれぞれは、複数の透明層９において互いに隣り合う透明層９の間の隙間として形成されている。詳しくは、空気層１０は、互いに隣り合う透明層９のうち、下側の透明層９の上面と、上側の透明層９の下面とにより区画されている。そのため、複数の空気層１０のそれぞれは、採光層７の所定方向Ｘの全体にわたって延びており、透明層９と空気層１０との境界１５は、所定方向Ｘおよび厚み方向Ｙに沿っている。
【００４６】
このような空気層１０の上下方向の寸法は、透明層９の上下方向の寸法よりも小さく、例えば、０．１μｍ以上、好ましくは、１μｍ以上、例えば、５０μｍ以下、好ましくは、１０μｍ以下である。また、空気層１０の上下方向の寸法は、透明層９の上下方向の寸法に対して、例えば、１／５０００以上、好ましくは、１／２００以上、例えば、１／２以下、好ましくは、１／１０以下である。また、空気層１０の厚み方向Ｙの寸法は、透明層９の厚み方向Ｙの寸法と同様である。
【００４７】
１対の支持体８は、光学シート６の厚み方向Ｙの両側部分であって、採光層７を厚み方向Ｙの外側から挟んでいる。
【００４８】
１対の支持体８のそれぞれは、基材１２と、粘着剤層１１とを備えている。
【００４９】
基材１２は、支持体８の厚み方向Ｙの外側部分であって、光を透過するように構成されている。基材１２としては、例えば、ＰＥＴフィルムなどの基材、ポリエステルなどの生地、フッ素系ポリマー（例えば、ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体など）からなる低接着性基材、無極性ポリマー（例えば、ポリエチレン、ポリプロピレンなどのオレフィン系樹脂など）からなる低接着性基材などが挙げられる。
【００５０】
このような基材１２のなかでは、好ましくは、ＰＥＴフィルム、ポリエステルなどの生地、および、無極性ポリマーからなる低接着性基材が挙げられ、さらに好ましくは、ＰＥＴフィルムが挙げられる。
【００５１】
このような基材１２の厚み方向Ｙの寸法は、例えば、１０μｍ以上、好ましくは、３０μｍ以上、例えば、１００μｍ以下、好ましくは、５０μｍ以下である。また、基材１２の光透過率は、基材１２の厚み方向Ｙの寸法が５０μｍの場合に、波長４４０〜６００ｎｍの光に対して、例えば、８５％以上、好ましくは、９０％以上、さらに好ましくは、９２％以上であり、例えば、９８％以下である。
【００５２】
粘着剤層１１は、支持体８の厚み方向Ｙの内側部分であって、基材１２と採光層７との間に介在されている。これによって、採光層７と基材１２とは、接着されている。
【００５３】
粘着剤層１１を形成する粘着剤としては、例えば、エポキシ系粘着剤、シリコーン系粘着剤、アクリル系粘着剤、紫外線硬化型粘着剤などの公知の粘着剤が挙げられる。また、粘着剤は、光を透過することが好ましい。また、粘着剤層１１は、公知の両面粘着テープから構成することもできる。
【００５４】
このような粘着剤のなかでは、好ましくは、アクリル系粘着剤が挙げられる。このような粘着剤は、単独で使用してもよく、２種以上併用することもできる。
【００５５】
粘着剤層１１の厚み方向Ｙの寸法は、例えば、１μｍ以上、好ましくは、５μｍ以上、例えば、１００μｍ以下、好ましくは、４０μｍ以下である。なお、基材１２自体に粘着性がある場合は、支持体８において粘着剤層１１は不要である。
【００５６】
そして、遮光シート５と光学シート６とは、遮光シート５の下端部と光学シート６の上端部とが１対の粘着テープ２０により接続されることにより、１枚のスクリーン４として構成されている。
【００５７】
粘着テープ２０としては、例えば、公知の粘着テープなどが挙げられ、好ましくは、光を透過する粘着テープが挙げられる。粘着テープ２０は、例えば、基材２１と、粘着剤層２２とを備えている。基材２１は、粘着テープ２０の厚み方向Ｙの外側部分である。基材２１としては、例えば、上記の基材１２と同様の基材が挙げられ、好ましくは、ポリプロピレンなどのオレフィン系樹脂が挙げられる。粘着剤層２２は、粘着テープ２０の厚み方向Ｙの内側部分である。粘着剤層２２を形成する粘着剤としては、例えば、上記の粘着剤層１１と同様の粘着剤が挙げられ、好ましくは、アクリル系粘着剤が挙げられる。
２．スクリーンの製造方法
次に、スクリーン４の製造方法について説明する。
【００５８】
スクリーン４を製造するには、まず、光学シート６を製造する。
【００５９】
光学シート６を製造するには、図３に示すように、まず、透明層９からなる単位フィルム３０を複数枚調製する。このような単位フィルム３０を調製するには、例えば、透明層９からなる加工シートを調製した後、その加工シートから所定の形状の単位フィルム３０を切り出す。加工シートから単位フィルム３０を切り出す方法としては、例えば、裁断、打ち抜きなどの公知の加工方法が挙げられる。
【００６０】
単位フィルム３０の形状は特に制限されず、単位フィルム３０は、上記の切り出し方法により、単位フィルム３０の厚み方向から見て、例えば、多角形または円形状、好ましくは、矩形状または円形状、とりわけ好ましくは、円形状となるように形成される。
【００６１】
また、単位フィルム３０のサイズは、使用目的などに応じて適宜変更されるが、単位フィルム３０が厚み方向から見て円形状である場合、直径が、例えば、１０ｃｍ〜１ｍ（１００ｃｍ）であり、加工性の観点から好ましくは、１０ｃｍ〜５０ｃｍである。
【００６２】
このような単位フィルム３０を、複数枚、例えば、３００枚以上、好ましくは、１０００枚、さらに好ましくは、１００００枚以上、例えば、６００００枚以下、好ましくは、３００００枚以下、さらに好ましくは、２００００枚以下準備する。
【００６３】
単位フィルム３０を複数枚準備するには、例えば、加工シートを、複数の単位フィルム３０が切り出し可能となるように大きく形成し、その加工シートから単位フィルム３０を複数枚切り出してもよく、加工シートを複数枚調製して、各加工シートから１枚ずつ単位フィルム３０を切り出してもよい。なお、複数の単位フィルム３０のそれぞれは、好ましくは、同一形状およびサイズに形成される。
【００６４】
次いで、図４に示すように、複数の単位フィルム３０を、粘着剤層を挟むことなく、単位フィルム３０の厚み方向に積層して、積層体３１を調製する。
【００６５】
より具体的には、複数の単位フィルム３０が厚み方向に順次重なるように、複数の単位フィルム３０を積層する。つまり、単位フィルム３０の厚み方向と、積層体３１の積層方向とは同一方向である。
【００６６】
ここで、積層体３１において、積層方向に互いに隣り合う単位フィルム３０の間には、僅かな空気が介在しており、それが空気層１０として供され、互いに隣り合う単位フィルム３０を区画している。
【００６７】
なお、図４では、便宜上、複数の単位フィルム３０の枚数が省略されており、積層体３１が１８枚の単位フィルム３０からなるように記載しているが、実際には、積層体３１は、例えば、３００枚〜６００００枚、好ましくは、１０００枚〜３００００枚、さらに好ましくは、１００００枚〜２００００枚の単位フィルム３０が積層されて形成されている。
【００６８】
また、各単位フィルム３０が同一形状およびサイズに形成されている場合、複数の単位フィルム３０は、積層方向に投影したときに、それらの外周端縁が互いに一致するように積層される。
【００６９】
以上によって、積層方向に延びる柱状（ブロック状）の積層体３１が形成される。例えば、単位フィルム３０が厚み方向から見て矩形である場合、角柱状の積層体３１が形成され、単位フィルム３０が厚み方向から見て円形である場合、円柱状の積層体３１が形成される。
【００７０】
積層体３１の高さ（積層方向長さ）は、例えば、１ｃｍ以上、好ましくは、５ｃｍ以上、さらに好ましくは、４０ｃｍ以上、例えば、２００ｃｍ以下、好ましくは、１００ｃｍ以下である。
【００７１】
次いで、積層体３１の側面３２（積層方向に沿って延びる表面）に、積層方向に沿うように支持体８を貼り付けた後、支持体８が貼り付けられた積層体３１の側面層３３を、複数の単位フィルム３０が積層体３１の積層方向に並列するように切断する。
【００７２】
積層体３１の側面層３３を切断する切断方法としては、積層体３１から、支持体８に支持された側面層３３を切り出せれば特に限定されない。
【００７３】
このような切断方法のなかでは、生産性の観点から、積層体３１を円柱状に形成し、図５に示すように、切削装置４０により連続的に、積層体３１の側面層３３を切り出す方法が好ましい。
【００７４】
切削装置４０は、回転軸４１と、１対の保持部材４２と、切削刃３５とを備えている。
【００７５】
回転軸４１は、略円柱形状であり、その軸線を中心として回転可能に構成されている。回転軸４１には、長尺かつ平帯状の支持体８が巻回される。詳しくは、長尺かつ平帯状の支持体８は、粘着剤層１１が基材１２に対して回転軸４１の径方向内側に位置するように、回転軸４１に渦巻き状に巻回される。これによって、支持体８は、回転軸４１を中心とする支持体ロール４５として構成される。なお、基材１２における粘着剤層１１と反対側の表面には、剥離処理層（図示せず）が設けられている。剥離処理層による基材１２の剥離力は、適宜調整される。
【００７６】
支持体ロール４５では、回転軸４１の径方向において、支持体８が隣接するように配置され、粘着剤層１１と基材１２とが順次繰り返して配置されている。また、上記したように、基材１２における粘着剤層１１と反対側の表面には剥離処理層が設けられるので、回転軸４１の径方向において、互いに隣り合う支持体８の間、詳しくは、径方向外側に配置される支持体８の粘着剤層１１と、径方向内側に配置される支持体８の基材１２との間には、剥離処理層が介在される。
【００７７】
１対の保持部材４２は、支持体ロール４５に対して、支持体ロール４５の径方向に間隔を空けて配置されている。１対の保持部材４２のそれぞれは、略円板形状であり、その軸線を中心として回転可能に構成されている。
【００７８】
また、１対の保持部材４２は、保持部材４２の軸線方向に互いに間隔を空けて配置されている。そして、１対の保持部材４２は、略円柱形状の積層体３１を積層方向の両側から加圧して、積層体３１を保持する。
【００７９】
加圧条件としては、積層体３１に対する積層方向の一方側（他方側）からの圧力が、例えば、０．０１ＭＰａ以上、好ましくは、０．１ＭＰａ以上、例えば、１０ＭＰａ以下、好ましくは、５ＭＰａ以下である。
【００８０】
なお、各保持部材４２は、積層体３１を保持した状態において、積層体３１と軸線が一致するように配置される。
【００８１】
切削刃３５は、１対の保持部材４２に保持される積層体３１の側面３２に対して、積層方向に沿うように配置されており、切削刃３５の先端が、積層体３１の側面３２に略接線方向から接触している。
【００８２】
また、切削刃３５は、切断工程の進行により積層体３１の径が小さくなるに伴って、切削刃３５の先端が積層体３１の側面３２に接触した状態を維持したまま、積層体３１の軸線に近づくように構成されている。
【００８３】
このような切削装置４０により、積層体３１の側面層３３を連続的に切り出すには、まず、支持体ロール４５から引き出した支持体８を、１対の保持部材４２に保持される積層体３１の側面３２に貼り付ける。
【００８４】
より詳しくは、引き出された支持体８の粘着剤層１１が積層体３１の側面３２に接着するように、支持体８を積層体３１の接線方向に向かって引き回し、積層体３１における中心角が、例えば、９０°〜２７０°の範囲、好ましくは、１２０°〜２４０°の範囲の積層体３１の側面３２に貼り付ける。
【００８５】
次いで、１対の保持部材４２が、切削装置４０が備えるモータなどの駆動源からの駆動力により、保持部材４２の軸線方向一方（図５における紙面手前側）から見て反時計回り方向に回転駆動する。
【００８６】
そうすると、１対の保持部材４２に保持される積層体３１が、軸線を中心として回転するとともに、支持体ロール４５が回転軸４１の軸線を中心として従動する。
【００８７】
これによって、支持体８が貼り付けられた積層体３１の側面層３３が、切削刃３５によって、かつら剥きのように連続的に切り出される。なお、切り出される側面層３３の厚みは、積層体３１を切断する際の、積層体３１に対する切削刃３５の配置および角度などにより適宜調整できる。
【００８８】
以上によって、図６に示すように、積層体３１から連続的に、一方面に支持体８が貼り付けられた側面層３３、つまり、一方面に支持体８が貼り付けられた採光層７が、積層体３１から長尺かつ平帯状に切り出される。
【００８９】
次いで、採光層７の他方面にも支持体８を貼り付ける。詳しくは、支持体８を別途準備し、その支持体８の粘着剤層１１を、採光層７の他方面に接着させる。
【００９０】
これによって、図２Ｂに示すように、１対の支持体８が採光層７を挟むように、採光層７に貼り付けられ、光学シート６が調製される。もしくは、支持体８は、採光層７の片側だけにあってもよい。
【００９１】
その後、光学シート６を、所定の形状およびサイズにカットする。光学シート６をカットする方法としては、例えば、裁断、打ち抜きなどの公知の加工方法が挙げられる。
【００９２】
次に、遮光シート５を準備して、その遮光シート５を所定の形状およびサイズにカットする。遮光シート５をカットする方法としては、例えば、上記の加工方法が挙げられる。
【００９３】
そして、遮光シート５と光学シート６とを、１対の粘着テープ２０により接続する。遮光シート５と光学シート６とを接続するには、遮光シート５の上端部と光学シート６の下端部とを上下方向に隣接するように配置した後、遮光シート５と光学シート６との境目を跨ぐように、１対の粘着テープ２０のそれぞれを、厚み方向Ｙの外側から貼り付ける。
【００９４】
以上により、スクリーン４が製造される。なお、１枚の粘着テープ２０により、遮光シート５と光学シート６とを接続することもできる。
３．ロールスクリーンの使用態様
次に、ロールスクリーン１の使用態様について説明する。
【００９５】
ロールスクリーン１は、図７に示すように、家屋５０などの建築物において、例えば、ガラス窓５１の内側に隣接するように、ガラス窓５１を有する壁部５４に取り付けられる。
【００９６】
そして、スクリーン４を繰出状態に配置すると、遮光シート５が、家屋５０外（屋外）からガラス窓５１を介して、家屋５０内（屋内）が目視されることを遮断する。
【００９７】
一方、光学シート６は、ガラス窓５１を介して、屋外から侵入する光Ｌ（例えば、太陽光）を透過する。このとき、屋外からの光Ｌの一部の光Ｌ１は、透明層９を直線的に透過して、家屋５０の床部５２に向かって進行する。
【００９８】
また、屋外からの光Ｌの他の部分の光Ｌ２は、透明層９に入射した後、透明層９と空気層１０との境界１５に到達する。すると、他の光Ｌ２は、境界１５（空気層１０）に反射されて、その進行方向が上側に向かうように変更され、家屋５０の天井部５３に向かって進行する。その後、他の光Ｌ２は、例えば、天井部５３に再度反射され、家屋５０内において、一部の光Ｌ１よりも、壁部５４から遠方に到達する。
【００９９】
このようなロールスクリーン１は、遮光シート５が光を遮断し、かつ、光学シート６が光を透過する。そのため、ロールスクリーン１を、例えば、家屋５０のガラス窓５１の内側に隣接するように、壁部５４に設置し、スクリーン４を繰出状態に配置すれば、遮光シート５が、家屋５０外から、ガラス窓５１を介して、家屋５０内が目視されることを遮断するとともに、光学シート６が、家屋５０内への採光を許容する。その結果、プライバシーの保護を図ることができながら、採光することができる。
【０１００】
また、光学シート６は、屋外からの光Ｌの一部の光Ｌ１を直線的に透過させる一方、屋外からの光Ｌの他の部分の光Ｌ２の進行方向を変更する。そのため、家屋５０内の明るさを効率よく向上することができながら、家屋５０内の一部における過度な日射を抑制することができる。
【０１０１】
また、光学シート６は、屋外からの光Ｌの他の部分の光Ｌ２の進行方向を、上側、すなわち、繰出方向Ｒ１の上流に向かうように変更する。そのため、家屋５０内において、光学シート６よりも繰出方向Ｒ１の上流に位置する天井部５３の明るさを確実に向上できる。
【０１０２】
また、光学シート６は、図１に示すように、スクリーン４の繰出状態において、スクリーン４の上下方向中央よりも上側に配置されている。そのため、遮光シート５を、スクリーン４の上下方向中央よりも下側に確実に配置できる。
【０１０３】
そのため、光学シート６および遮光シート５を効率的に配置でき、図７に示すように、スクリーン４の上側部分（繰出方向Ｒ１の上流部分）において採光性を確保し、スクリーン４の下側部分（繰出方向Ｒ１の下流部分）においてプライバシーの保護を図ることができる。
【０１０４】
また、光学シート６は、図２Ｂおよび図６に示すように、光を反射する空気層１０を備え、空気層１０は、所定方向Ｘに沿って延びている。そのため、空気層１０は、図７に示すように、光学シート６に入射した光を、所定方向Ｘにおいて均一に反射することができる。その結果、光学シート６は、光が透過するときに、光の進行方向を確実に変更することができる。
４．第２実施形態および第３実施形態
次に、図８〜図９Ｂを参照して、本発明のロールスクリーンの第２実施形態および第３実施形態について説明する。なお、第２実施形態および第３実施形態では、上記した第１実施形態と同様の部材には同様の符号を付し、その説明を省略する。
【０１０５】
第１実施形態では、図７に示すように、光学シート６は、複数の空気層１０を備えているが、第２実施形態では、図８に示すように、光学シート６は、複数の空気層１０に代えて、反射層の一例としての複数の低屈折層６０を備えている。
【０１０６】
なお、第２実施形態では、光学シート６は、透明層９および低屈折層６０のみからなり、透明層９と低屈折層６０とは、上下方向において、連続するように順次繰り返して配置されている。
【０１０７】
複数の低屈折層６０は、上下方向に互いに間隔（透明層９）を隔てて並列配置されている。複数の低屈折層６０のそれぞれは、複数の透明層９において互いに隣り合う透明層９の間に配置され、採光層７の所定方向Ｘの全体にわたって延びる薄膜状に形成されている。また、低屈折層６０の上面および下面は、厚み方向Ｙに沿っている。そのため、透明層９と低屈折層６０との境界１５は、所定方向Ｘおよび厚み方向Ｙに沿っている。
【０１０８】
低屈折層６０は、透明層９よりも屈折率が小さくなるように構成されている。低屈折層６０の相対屈折率は、空気の屈折率に対して、例えば、１．２０以上、好ましくは、１．３４以上、例えば、１．９０以下、好ましくは、１．８０以下であり、透明層９の屈折率に対して、例えば、０．０５以上、好ましくは、０．１以上、例えば、０．５以下、好ましくは、０．３以下である。なお、屈折率は、プリズムカプラにより測定することができる。
【０１０９】
低屈折層６０は、加工の容易性の観点から好ましくは、透明の樹脂材料から形成される。透明の樹脂材料としては、例えば、フッ素系樹脂、シリコーン樹脂などが挙げられる。
【０１１０】
このような透明の樹脂材料のなかでは、好ましくは、フッ素系樹脂が挙げられる。より詳しくは、透明層９がポリプロピレンから形成される場合、低屈折層６０は、フッ素系樹脂から形成されることが好ましい。
【０１１１】
このような透明の樹脂材料は、単独で使用してもよく、２種以上併用することもできる。
【０１１２】
このような低屈折層６０の上下方向の寸法は、透明層９の上下方向の寸法よりも小さく、例えば、０．１μｍ以上、好ましくは、１μｍ以上、例えば、５０μｍ以下、好ましくは、１０μｍ以下である。また、低屈折層６０の上下方向の寸法は、透明層９の上下方向の寸法に対して、例えば、１／５０００以上、好ましくは、１／２００以上、例えば、１／２以下、好ましくは、１／１０以下である。また、低屈折層６０の厚み方向Ｙの寸法は、透明層９の厚み方向Ｙの寸法と同様である。
【０１１３】
また、低屈折層６０の光透過率は、低屈折層６０の厚みが１００μｍの場合に、波長４４０〜６００ｎｍの光に対して、例えば、６０％以上、好ましくは、８０％以上、さらに好ましくは、９０％以上であり、例えば、９８％以下である。
【０１１４】
このような光学シート６を製造するには、図９Ａに示すように、透明層９と低屈折層６０とを備える単位フィルム３０を複数枚調製する。
【０１１５】
このような単位フィルム３０を調製する方法としては、例えば、透明層９の表面（厚み方向の一方面）に低屈折層６０を配置して、加工シートを調製した後、その加工シートから所定の形状の単位フィルム３０を切り出す方法や、所定の形状に加工した透明層９の表面に低屈折層６０を配置して、単位フィルム３０とする方法などが挙げられる。
【０１１６】
透明層９の表面に低屈折層６０を配置する方法としては、例えば、公知の成膜方法により、透明層９の表面に低屈折層６０を成膜する方法や、共押し出し法により、透明層９と低屈折層６０とを同時に形成する方法が挙げられる。
【０１１７】
このような透明層９の表面に低屈折層６０を配置する方法のなかでは、好ましくは、公知の成膜方法が挙げられ、より具体的には、ドライプロセス、ウェットプロセスなどが挙げられ、好ましくは、ウェットプロセスが挙げられる。
【０１１８】
次いで、複数の単位フィルム３０を、透明層９と低屈折層６０とが積層方向に互いに隣り合うように、複数の単位フィルム３０のそれぞれを厚み方向に積層する。
【０１１９】
このような積層体３１では、積層方向に互いに隣接する単位フィルム３０の間（透明層９と低屈折層６０との間）において、接着剤層を設けてもよく、また、接着剤層を設けなくてもよい。積層方向に互いに隣接する単位フィルム３０の間に接着剤層を設けない場合、積層体３１は、熱圧着（加熱プレス）される。
【０１２０】
以上によって、積層方向に延びる柱状（ブロック状）の積層体３１が形成される。
【０１２１】
次いで、図４および図５に示すように、第１実施形態と同様にして、積層体３１の側面３２（積層方向に沿って延びる表面）に、積層方向に沿うように支持体８を貼り付けた後、支持体８が貼り付けられた積層体３１の側面層３３を、複数の単位フィルム３０が積層体３１の積層方向に並列するように切断する。積層体３１の側面層３３を切断する切断方法としては、第１実施形態と同様の方法が挙げられる。
【０１２２】
これによって、図９Ｂに示すように、一方面に支持体８が貼り付けられた採光層７が、積層体３１から長尺かつ平帯状に切り出される。続いて、採光層７の他方面にも支持体８を貼り付ける。
【０１２３】
以上によって、図８に示すように、光学シート６が調製される。そして、光学シート６は、１対の粘着テープ２０により、遮光シート５と接続されて、１枚のスクリーン４を構成する。
【０１２４】
このようなスクリーン４を備えるロールスクリーン１を、ガラス窓５１を有する壁部５４に取り付け、スクリーン４を繰出状態に配置すれば、屋外からの光Ｌの一部の光Ｌ１は、透明層９を直線的に透過して、家屋５０の床部５２に向かって進行する。一方、屋外からの光Ｌの他の部分の光Ｌ２は、透明層９に入射した後、透明層９と低屈折層６０との境界１５（低屈折層６０）に反射されて、家屋５０の天井部５３に向かって進行する。
【０１２５】
そのため、このような第２実施形態においても、上記した第１実施形態と同様の作用効果を奏することができる。
【０１２６】
また、第３実施形態では、図８に示すように、光学シート６は、複数の空気層１０に代えて、反射層の一例としての複数の金属層６１を備えている。
【０１２７】
なお、第３実施形態では、光学シート６は、透明層９および金属層６１のみからなり、透明層９と金属層６１とは、上下方向において、連続するように順次繰り返して配置されている。
【０１２８】
複数の金属層６１は、上下方向に互いに間隔（透明層９）を隔てて並列配置されている。複数の金属層６１のそれぞれは、複数の透明層９において互いに隣り合う透明層９の間に配置され、採光層７の所定方向Ｘの全体にわたって延びる薄膜状に形成されている。また、金属層６１の上面および下面は、厚み方向Ｙに沿っている。そのため、透明層９と金属層６１との境界１５は、所定方向Ｘおよび厚み方向Ｙに沿っている。
【０１２９】
金属層６１は、光を反射するように構成されており、金属材料から薄膜状に形成されている。金属層６１を形成する金属材料としては、例えば、金属元素（例えば、金、銀、銅、鉄、アルミニウム、クロム、ニッケルなど）や、複数の金属元素からなる合金などが挙げられ、好ましくは、銀、アルミニウムおよびそれらを含有する合金が挙げられ、さらに好ましくは、アルミニウムが挙げられる。このような金属材料は、単独の薄膜として使用してもよく、２種以上の薄膜を積層することもできる。
【０１３０】
このような金属層６１の上下方向の寸法は、光が十分に反射可能であれば、特に制限されないが、例えば、２０ｎｍ以上、好ましくは、３０ｎｍ以上、例えば、１０μｍ（１０４ｎｍ）以下、好ましくは、１μｍ（１０３ｎｍ）以下、さらに好ましくは、３００ｎｍ以下である。また、金属層６１の上下方向の寸法は、透明層９の上下方向の寸法に対して、例えば、１／１０００００以上、好ましくは、１／２０００以上、例えば、１／１０以下、好ましくは、１／１００以下である。また、金属層６１の厚み方向Ｙの寸法は、透明層９の厚み方向Ｙの寸法と同様である。
【０１３１】
また、金属層６１の反射率（入射角５°）は、波長４４０〜６００ｎｍの光に対して、例えば、７０％以上、好ましくは、８０％以上、例えば、９８％以下、好ましくは、９５％以下である。
【０１３２】
このような光学シート６を製造するには、図９Ａに示すように、透明層９と金属層６１とを備える単位フィルム３０を複数枚調製する。
【０１３３】
このような単位フィルム３０を調製する方法としては、例えば、透明層９の表面（厚み方向の一方面）に金属層６１を配置して、加工シートを調製した後、その加工シートから所定の形状の単位フィルム３０を切り出す方法や、所定の形状に加工した透明層９の表面に金属層６１を配置して、単位フィルム３０とする方法などが挙げられる。
【０１３４】
透明層９の表面に金属層６１を配置する方法としては、例えば、透明層９と金属層６１とを別途調整して、それらを積層する方法、透明層９の表面に金属層６１を形成する方法などが挙げられ、好ましくは、透明層９の表面に金属層６１を形成する方法が挙げられる。
【０１３５】
透明層９の表面に金属層６１を形成する方法としては、例えば、公知の成膜方法により、透明層９の表面に金属層６１を成膜する方法が挙げられる。このような公知の成膜方法としては、例えば、ドライプロセス、ウェットプロセスなどが挙げられ、好ましくは、ドライプロセスが挙げられる。
【０１３６】
次いで、複数の単位フィルム３０を、透明層９と金属層６１とが積層方向に互いに隣り合うように、複数の単位フィルム３０のそれぞれを厚み方向に積層する。
【０１３７】
このような積層体３１では、積層方向に互いに隣接する単位フィルム３０の間（透明層９と金属層６１と間）において、接着剤層を設けてもよく、また、接着剤層を設けなくてもよい。積層方向に互いに隣接する単位フィルム３０の間（透明層９と金属層６１と間）に接着剤層を設けない場合、積層体３１は、熱圧着（加熱プレス）される。
【０１３８】
以上によって、積層方向に延びる柱状（ブロック状）の積層体３１が形成される。
【０１３９】
次いで、図４および図５に示すように、第１実施形態と同様にして、積層体３１の側面３２（積層方向に沿って延びる表面）に、積層方向に沿うように支持体８を貼り付けた後、支持体８が貼り付けられた積層体３１の側面層３３を、複数の単位フィルム３０が積層体３１の積層方向に並列するように切断する。積層体３１の側面層３３を切断する切断方法としては、第１実施形態と同様の方法が挙げられる。
【０１４０】
これによって、図９Ｂに示すように、一方面に支持体８が貼り付けられた採光層７が、積層体３１から長尺かつ平帯状に切り出される。続いて、採光層７の他方面にも支持体８を貼り付ける。
【０１４１】
以上によって、図８に示すように、光学シート６が調製される。そして、光学シート６は、１対の粘着テープ２０により、遮光シート５と接続されて、１枚のスクリーン４を構成する。
【０１４２】
このようなスクリーン４を備えるロールスクリーン１を、ガラス窓５１を有する壁部５４に取り付け、スクリーン４を繰出状態に配置すれば、屋外からの光Ｌの一部の光Ｌ１は、透明層９を直線的に透過して、家屋５０の床部５２に向かって進行する。一方、屋外からの光Ｌの他の部分の光Ｌ２は、透明層９に入射した後、透明層９と金属層６１との境界１５（金属層６１）に反射されて、家屋５０の天井部５３に向かって進行する。
【０１４３】
そのため、このような第３実施形態においても、上記した第１実施形態および第２実施形態と同様の作用効果を奏することができるが、採光性の観点から、第１実施形態および第２実施形態の方が好ましい。
５．第４実施形態
次に、図１０Ａおよび図１０Ｂを参照して、本発明のロールスクリーンの第４実施形態について説明する。なお、第４実施形態では、上記した第１実施形態と同様の部材には同様の符号を付し、その説明を省略する。
【０１４４】
第１実施形態では、図２Ｂに示すように、遮光シート５と光学シート６とは、１対の粘着テープ２０により接続されているが、第４実施形態では、図１０Ｂに示すように、スクリーン４が支持基材６３を備え、遮光シート５と光学シート６とが、粘着剤層６４を介して、支持基材６３に接着されている。
【０１４５】
支持基材６３は、光を透過するように構成されており、支持基材６３としては、上記の基材１２と同様の基材が挙げられ、好ましくは、ＰＥＴフィルムが挙げられる。
【０１４６】
粘着剤層６４は、支持基材６３の厚み方向Ｙの一方面全体に配置されており、粘着剤層６４を形成する粘着剤としては、粘着剤層１１と同様の粘着剤が挙げられ、好ましくは、アクリル系粘着剤が挙げられる。
【０１４７】
また、第４実施形態において、光学シート６は、採光層７の一方面にのみ、支持体８が接着されている。
【０１４８】
そして、光学シート６は、採光層７の他方面が粘着剤層６４に接着することにより、支持基材６３の上側部分に貼り付けられ、遮光シート５は、遮光シート５の他方面が粘着剤層６４に接着することにより、支持基材６３の下側部分に貼り付けられている。これによって、遮光シート５と光学シート６とは、上下方向に隣接するように配置されている。
【０１４９】
つまり、第４実施形態によっても、スクリーン４は、遮光シート５と光学シート６とを備えることができる。そのため、このような第４実施形態においても、上記した第１実施形態〜第３実施形態と同様の作用効果を奏することができる。
６．第５実施形態
次に、図１１Ａ〜図１１Ｃを参照して、本発明のロールスクリーンの第５実施形態について説明する。なお、第５実施形態では、上記した第１実施形態と同様の部材には同様の符号を付し、その説明を省略する。
【０１５０】
第１実施形態では、図２Ａ〜図２Ｃに示すように、軸部２が繰出方向Ｒ１の上流および下流への移動が規制された状態で回転することにより、スクリーン４を繰り出すように構成されているが、第５実施形態では、図１１Ａ〜図１１Ｃに示すように、巻取軸７３が繰出方向Ｒ２の上流に移動しながら回転することにより、スクリーン４を繰り出すように構成されている。
【０１５１】
第５実施形態に係るロールスクリーン７０は、いわゆるロールアップスクリーンであって、支持軸７１と、１対の支持フレーム７２と、スクリーン４と、軸部の一例としての巻取軸７３と、操作部７４とを有している。
【０１５２】
なお、詳しくは後述するが、ロールスクリーン７０において、スクリーン４は、図１１Ｂに示すように、巻取軸７３に巻回される収納状態と、図１１Ａおよび図１１Ｂに示すように、支持軸７１から垂れ下がるように、巻取軸７３から繰り出される繰出状態とに移動するように構成されている。
【０１５３】
そこで、以下のロールスクリーン７０の説明において、図１１Ａおよび図１１Ｂに示すスクリーン４の繰出状態を基準とする。そして、ロールスクリーン７０では、支持軸７１が配置されている方をロールスクリーン１の上側とし、その反対であり、巻取軸７３が配置されている方をロールスクリーン１の下方とする。
【０１５４】
支持軸７１は、略円柱形状に形成されており、所定方向Ｘに延びている。
【０１５５】
１対の支持フレーム７２は、支持軸７１を挟むように、所定方向Ｘに間隔を隔てて配置されている。１対の支持フレーム７２のそれぞれは、支持軸７１の端部を相対回転不能に支持している。
【０１５６】
スクリーン４には、１対の開口部７５が形成されている。１対の開口部７５は、光学シート６の上側部分に配置されており、所定方向Ｘに間隔を空けて配置されている。１対の開口部７５のそれぞれは、光学シート６を厚み方向Ｙに貫通している。
【０１５７】
また、スクリーン４は、その上端部が、所定方向Ｘに沿って、支持軸７１に固定されることによって、支持軸７１から垂れ下がるように支持されている。
【０１５８】
巻取軸７３は、所定方向Ｘに沿って延びる略円柱形状を有している。巻取軸７３は、支持フレーム７２に対して下方に間隔を空けて配置され、スクリーン４に対して厚み方向Ｙの一方に隣接配置されている。また、巻取軸７３の周面のうち下側半分には、スクリーン４の下端部が巻取軸７３の周面に沿うように接着されている。
【０１５９】
操作部７４は、１本の紐状の部材から形成されている。そして、操作部７４をロールスクリーン７０に取り付けるには、操作部７４の両端部のそれぞれを、対応する開口部７５に、厚み方向Ｙの他方から一方に向かって挿通させた後、下方に向かって移動させ、次いで、巻取軸７３の下方をＵターンするように通過させる。その後、操作部７４の両端部のそれぞれを、上方に向かって移動させ、支持軸７１に固定する。また、操作部７４の中央部分を、支持軸７１の上方を通過させて、スクリーン４に対して厚み方向Ｙの一方に配置する。
【０１６０】
このようなロールスクリーン７０では、操作部７４の中央部分を下方に向かって引っ張ると、図１１Ｂに示すように、巻取軸７３が所定方向Ｘの一方（図１１Ｂの紙面手前）から見て、反時計回り方向に回転するとともに、上方に向かって移動して、スクリーン４を巻き取る。これによって、スクリーン４が、図１１Ｃに示すように、繰出状態から収納状態に移動する。
【０１６１】
また、スクリーン４が収納状態から繰出状態に移動する場合、巻取軸７３は、所定方向Ｘの一方（図１１Ｂの紙面手前）から見て、時計回り方向に回転するとともに、下方に向かって移動して、スクリーン４を繰り出す。
【０１６２】
つまり、第５実施形態において、繰出方向Ｒ２は、第１実施形態〜第４実施形態の繰出方向Ｒ１とは相異なり、下方から上方に向かう方向である。また、繰出方向Ｒ２の上流は、下方であり、繰出方向Ｒ２の下流は、上方である。
【０１６３】
このようなロールスクリーン７０を、ガラス窓５１を有する壁部５４に取り付け、スクリーン４を繰出状態に配置すれば、図７に示すように、屋外からの光Ｌの一部の光Ｌ１は、透明層９を直線的に透過して、家屋５０の床部５２に向かって進行する。一方、屋外からの光Ｌの他の部分の光Ｌ２は、透明層９に入射した後、透明層９と空気層１０との境界１５（空気層１０）に反射されて、家屋５０の天井部５３に向かって進行する。つまり、光学シート６は、透過する光の進行方向を、繰出方向Ｒ２の下流に向かうように変更する。
【０１６４】
そのため、スクリーン４の繰り出し方法がいずれの場合であっても、光学シート６を介して室内に採光される光Ｌのすべてが直線的に進行することを確実に抑制できる。
【０１６５】
また、光学シート６は、図１１Ａに示すように、スクリーン４の繰出状態において、スクリーン４の上下方向中央よりも上方、すなわち繰出方向Ｒ２の下流に配置されている。そのため、遮光シート５を、スクリーン４の繰出方向Ｒ２の中央よりも繰出方向Ｒ２の上流に確実に配置できる。
【０１６６】
その結果、光学シート６および遮光シート５を効率的に配置でき、スクリーン４の上側部分（繰出方向Ｒ２の下流部分）において採光性を確保し、スクリーン４の下側部分（繰出方向Ｒ２の上流部分）においてプライバシーの保護を図ることができる。
【０１６７】
また、このような第５実施形態においても、上記した第１実施形態〜第４実施形態と同様の作用効果を奏することができる。
７．変形例
（１）また、光学シート６は、図２Ｂにおいて仮想線で示すように、必要に応じて、コート層８０を備えることができる。コート層８０は、基材１２の外側面に設けられる。コート層８０を設けることにより、光触媒、耐スクラッチ性、反射防止、遮熱などの機能を光学シート６に付与でき、光学シート６の高機能化を図ることができる。
（２）また、上記の第１実施形態〜第５実施形態では、光学シート６は、スクリーン４の上側部分の全体として構成されるが、光学シート６は、スクリーン４の上側部分の一部であってもよい。また、光学シート６の配置は、特に制限されず、使用用途により適宜変更することができる。
（３）また、上記の第１実施形態〜第５実施形態では、図７および図８に示すように、空気層１０、低屈折層６０および金属層６１のそれぞれが、所定方向Ｘおよび厚み方向Ｙのそれぞれに沿うように形成されているが、空気層１０、低屈折層６０および金属層６１のそれぞれは、光の進行方向を変更できれば、特に限定されず、スクリーン４の厚み方向Ｙに対して交差するように傾斜していてもよい。また、光学シート６は、採光層７に代えて、公知の回折格子を備えていてもよい。
（４）また、上記の第１実施形態〜第５実施形態では、図１Ａ、図７および図８に示すように、空気層１０、低屈折層６０および金属層６１のそれぞれが、所定方向Ｘに沿って延びるように形成されているが、これに限定されず、空気層１０、低屈折層６０および金属層６１のそれぞれは、所定方向Ｘおよび厚み方向Ｙの両方向と直交する方向に沿って延びていてもよい。この場合、ロールスクリーン１は、所定方向Ｘが上下方向と一致するように、家屋５０の壁部５４などに設置され、スクリーン４は、収納状態から、水平方向に沿って引き出される。
【０１６８】
このような変形例によっても、上記した第１実施形態〜第５実施形態と同様の作用効果を奏することができる。なお、これら第１実施形態〜第５実施形態および変形例のそれぞれは、適宜組み合わせることができる。
【実施例】
【０１６９】
以下に実施例を示し、本発明をさらに具体的に説明するが、本発明は、それらに限定されない。なお、実施例中の寸法などの数値は、上記の実施形態において記載される対応箇所の上限値または下限値に代替することができる。
【０１７０】
実施例１
厚み４０μｍのポリプロピレンフィルム（加工シート）を、直径１８ｃｍの円形状に打ち抜き加工して、１７５００枚の円形状の透明層（単位フィルム）を作成した。なお、空気に対するポリプロピレンフィルムの相対屈折率は１．４９であった。
【０１７１】
次いで、円形状の透明層を、各透明層間に接着剤を用いることなく、積層した後、積層方向の両側から圧力（５ＭＰａ）をかけて円柱形状に保持して、積層体を調製した。
【０１７２】
積層体は、直径１８ｃｍ×高さ（積層方向の寸法）７０ｃｍ（４０μｍ×１７５００）であった。
【０１７３】
次いで、積層体および支持体を、図５に示す切削装置４０にセットした。
【０１７４】
具体的には、積層体を１対の保持部材４２に積層方向の両側から挟むように保持させるとともに、支持体を回転軸４１に巻回して支持体ロールとして構成した。
【０１７５】
このとき、１対の保持部材４２は、積層体を積層方向の両側から上記の圧力（５ＭＰａ）で挟んでいた。また、支持体は、厚み３６μｍのＰＥＴフィルム（基材）と、厚み２０μｍのアクリル系粘着剤層（粘着剤層）とを有していた。アクリル系粘着剤層は、ＰＥＴフィルムの一方面に形成されており、ＰＥＴフィルムの他方面には、剥離処理剤による剥離処理層が設けられていた。
【０１７６】
また、積層体が１対の保持部材４２に保持された状態において、積層体の側面には、切削刃３５の先端が接触していた。なお、切削刃３５は、積層体の積層方向に沿うように配置されていた。
【０１７７】
そして、支持体ロールから引き出した支持体を、粘着剤層が積層体の側面に接着するように、積層体の接線方向に向かって引き回し、積層体における中心角２４０°の範囲の積層体の側面に貼り付けた。
【０１７８】
続いて、１対の保持部材４２を、切削装置４０のモータ（図示せず）により、保持部材４２の軸線方向一方（図５の紙面手前側）から見て反時計回り方向に回転駆動させた。
【０１７９】
そうすると、１対の保持部材４２に保持される積層体が、軸線を中心として回転するとともに、支持体ロールが回転軸４１の軸線を中心として従動した。
【０１８０】
これにより、支持体が貼り付けられた積層体の側面層が、かつら剥きのように連続的に切り出された。
【０１８１】
以上により、一方面に支持体が貼り付けられる採光層（積層体の側面層）が、長尺かつ平帯状に切り出された。なお、採光層の厚みは、６５μｍであった。
【０１８２】
このような採光層は、透明層および空気層が、積層方向（採光層としては厚み方向と直交する面方向）において、連続するように順次繰り返して配置されていた。また、透明層の積層方向（採光層としては厚み方向と直交する面方向）の寸法は、４０μｍであり、空気層の積層方向の寸法は、１μｍであった。
【０１８３】
そして、支持体を別途準備し、その支持体の粘着剤層を、採光層の他方面に接着させた。
【０１８４】
これによって、１対の支持体が、採光層を挟むように、採光層に貼り付けられ、光学シートが調製された。なお、光学シートの厚み方向の寸法は、１７７μｍであった。
【０１８５】
その後、光学シートを、長辺８５ｃｍ×短辺７０ｃｍの平面視長方形状にカットした。
【０１８６】
また、別途、ポリエステル製の遮光シート（プロブレス社製、商品名：サイレンス）を準備した。遮光シートは、長辺８５ｃｍ×短辺８０ｃｍの平面視長方形状であった。
【０１８７】
そして、光学シートと遮光シートとの長辺のそれぞれを、透明の粘着テープ（ニトムズ社製、商品名：ＳＣ−０１）により固定した。これによって、長辺１５０ｃｍ×短辺８５ｃｍのスクリーンが調製された。
【０１８８】
このようなスクリーンにおける光学シート側の短辺を、１対の支持フレームに回転可能に支持される軸部に固定することにより、ロールスクリーンを製造した。
【０１８９】
比較例１
ポリエステル製の遮光シート（プロブレス社製、商品名：サイレンス）を準備した。遮光シートは、長辺１５０ｃｍ×短辺８５ｃｍの平面視長方形状であった。
【０１９０】
このような遮光シートの短辺を、１対の支持フレームに回転可能に支持される軸部に固定することにより、ロールスクリーンを製造した。
【０１９１】
比較例２
厚さ５０μｍの透明のＰＥＴフィルム（東レ社製、商品名：Ｕ４８）を準備した。透明のＰＥＴフィルムは、長辺８５ｃｍ×短辺７０ｃｍの平面視長方形状であり、透明のＰＥＴフィルムの光透過率は、厚みが５０μｍの場合に、波長４４０〜６００ｎｍの光に対して、９５％以下であった。また、比較例１と同様のポリエステル製の遮光シートを準備した。
【０１９２】
そして、透明のＰＥＴフィルムと、遮光シートとの長辺のそれぞれを、透明の粘着テープ（ニトムズ社製、商品名：ＳＣ−０１）により固定した。これによって、長辺１５０ｃｍ×短辺８５ｃｍのスクリーンが調製された。
【０１９３】
このようなスクリーンにおける、ＰＥＴフィルム側の短辺を、１対の支持フレームに回転可能に支持される軸部に固定することにより、ロールスクリーンを製造した。
【０１９４】
（評価）
得られた実施例および各比較例のロールスクリーンについて、プライバシー性試験、日射体感試験および照度測定を、次のように実施した。
【０１９５】
図１２に示すように、天井高さ２．６ｍ、間口５．０ｍ（東西方向）、奥行（南北方向）７．６ｍの部屋９０を準備した。部屋９０は、南の方角に配置される壁部９１を備えており、壁部９１には、高さ１.４７ｍ、幅（東西方向寸法）０．８５ｍの窓９２が、天井面より０．５ｍ下側に設置されていた。また、部屋９０内に、高さ０．７２ｍの机９３を、壁部９１から３ｍ離れた位置に配置した。
【０１９６】
次いで、実施例および各比較例のロールスクリーンを、壁部９１の内側面において、窓９２の上側に設置した。そして、スクリーンを繰り出して繰出状態とした。これによって、窓９２全体が、スクリーンにより部屋９０内から覆われた。
【０１９７】
なお、試験地は、北緯３４°であり、試験日時は、２０１３年９月２７日１２時であり、太陽は、おおよそ南中（南中高度５３°）に位置していた。
（１）プライバシー性試験
部屋９０の外部から、窓９２を介して、部屋９０内が目視できるかを下記の基準により評価した。なお、試験者の身長は、１６０ｃｍであった。その結果、表１に示す。
Ａ：目視不能。
Ｂ：目視可能。
（２）日射体感試験
部屋９０内において、壁部９１から１．０ｍの位置で、日射を下記の基準により評価した。その結果を表１に示す。
Ａ：暑さ（ジリジリ感）および眩しさを感じなかった。
Ｂ：暑さ（ジリジリ感）および眩しさを感じた。
（３）照度測定
机９３上に照度計９４（テイアンドデイ社製、照度ＵＶレコーダー、商品名：ＴＲ−７４Ｕｉ）を配置して、机９３上の照度を測定した。その結果を表１に示す。
【０１９８】
なお、屋内照明は一切点灯しなかった。
【０１９９】
【表１】
2015140638.tif 000003
【符号の説明】
【０２００】
１      ロールスクリーン
２      軸部
４      スクリーン
５      遮光シート
６      光学シート
１０    空気層
６０    低屈折層
６１    金属層
７０    ロールスクリーン
７３    巻取軸
Ｘ      所定方向
Ｒ１    繰出方向
Ｒ２    繰出方向
【図１】
2015140638.tif 000004
【図２】
2015140638.tif 000005
【図３】
2015140638.tif 000006
【図４】
2015140638.tif 000007
【図５】
2015140638.tif 000008
【図６】
2015140638.tif 000009
【図７】
2015140638.tif 000010
【図８】
2015140638.tif 000011
【図９】
2015140638.tif 000012
【図１０】
2015140638.tif 000013
【図１１】
2015140638.tif 000014
【図１２】
2015140638.tif 000015